(57)【特許請求の範囲】
【請求項１】
既設ドアと該既設ドア用の既設ヒンジを撤去することによって残存した既設ドア枠にその見込方向中間のドア受用段部より室外側に位置する室外側枠部に上下の新設ヒンジを介して新設ドアを吊り支持した改装ドアであって，上記上下の新設ヒンジをＬ字状の枠固定部と平板状のドア固定部とを回動自在に軸支したコーナー対接用とすることによって上記Ｌ字状の枠固定部を既設ドア枠の吊元側上下コーナー部にその交差する室外側枠部の端部２面に亘るように対接してネジ固定する一方，上記ドア固定部を新設ドアの吊元側端部に上下動調整自在に内蔵設置した調整裏板に締着することによって該ドア固定部を新設ドアに対して上下位置調整自在にネジ固定し且つ上記新設ドアの室内面外周に上記既設ドア枠のドア受用段部に対接することによって該既設ドア枠との間で気密性を確保する気密材を設置してなることを特徴とする既設ドア枠利用の簡易改装ドア。
【請求項２】
上記既設ドア枠の室外側枠部に対する新設ヒンジにおける枠固定部のネジ固定を，交差する室外側枠部の一方又は双方との間に該室外側枠部の歪み吸収用調整部材を介設して行なってなることを特徴とする請求項１に記載の既設ドア枠利用の簡易改装ドア。
【請求項３】
上記新設ドアを，その少なくとも吊元側及び／又は戸当側の側端部にその長手方向部分的又は全体的な手挟み防止用室内側の段差空隙を備えて形成し，該段差空隙を埋めるようにこれに上記ドア受用段部に対接する気密材を設置してなることを特徴とする請求項１又は２に記載の既設ドア枠利用の簡易改装ドア。
【請求項４】
上記新設ドアの吊元側端部に上下動調整自在に内蔵設置した調整裏板を，新設ドアの長手方向中間を室内側において凹嵌することによって長手方向部分的に幅狭部を配置した上下に一体の調整裏板とする一方，上記新設ドアを，その少なくとも吊元側及び／又は戸当側の側端部に上記調整裏板の幅狭部の長さに応じた長手方向部分的な手挟み防止用室内側の段差空隙を備えて形成し，該段差空隙を埋めるようにこれに上記ドア受用段部に対接する気密材を設置してなることを特徴とする請求項１又は２に記載の既設ドア枠利用の簡易改装ドア。
【請求項５】
上記新設ドアの吊元側端部に内蔵設置した調整裏板を，上下に一体にして少なくとも上端に折曲片を備えた一体の調整裏板とするとともに上記新設ドアの吊元側端部上面に上向きに設置した調整ネジの回転によって該上端の折曲片を上下動することによって新設ドアに対して上下動調整自在としてなることを特徴とする請求項１，２，３又は４に記載の既設ドア枠利用の簡易改装ドア。
【請求項６】
上記新設ドアに内蔵設置した調整裏板を上下方向に案内する前後揺動防止用の上下動ガイドを追加的に備えてなることを特徴とする請求項１，２，３，４又は５に記載の既設ドア枠利用の簡易改装ドア。
【発明の詳細な説明】
【０００１】
【発明の属する技術分野】
本発明は，公共住宅，マンション等玄関のドア改装に関し，特にドア改装を簡易になし得るように既設ドア枠を利用して設置した既設ドア枠利用の簡易改装ドアに関する。
【０００２】
【従来の技術及び発明が解決しようとする課題】
この種玄関のドア改装として，例えば鋼製の既設ドア枠を取付ベースとしこれを被覆するように新設ドア枠を金具によって設置するとともに該新設ドア枠に新設ドアを設置することによってドア枠とドアの双方を取替えるようにした，いわゆるカバー工法による改装ドアが知られている。
【０００３】
しかし乍ら，この場合既設ドア枠の全体に新設ドア枠を設置するために，工事が煩雑化し，時間が掛る傾向が強く，設置した新設ドア枠によって得られる開口，特に幅寸法が狭くなるとともにこれに応じて新設ドアの寸法も縮小し，居住者に圧迫感を感じさせたり，家具等の搬出入に支障を来すといった問題点を残している。
【０００４】
本発明はかかる事情に鑑みてなされたもので，その解決課題とするところは，既設ドア枠を可及的に活用して，ドアの改装を可及的に効率的且つ確実になし得て，ドアの改装による開口の狭まりを可及的に小さくして改装後の開口，特に幅寸法を可及的に広く確保できるようにするとともに気密性能等の玄関ドアとしての性能を高度に確保できるようにした既設ドア枠利用の簡易改装ドアを提供するにある。
【０００５】
【課題を解決するための手段】
上記課題に沿って本発明は，既設ドア枠には一般に腐食や損傷のないことも多いことから，可及的にこれを利用し，既設ドア枠から既設ドアとこれを吊り支持している既設ヒンジを撤去し，該既設ドア枠に新設ヒンジを介して新設ドアを吊り支持することによって，既設ドア枠の開口をそのまま維持して簡易なドア改装をなし得るようにするとともに，新設ヒンジの設置を，一般に上方及び下方の既設ヒンジ設置箇所と変位した既設ドア枠の上下コーナー部にその交差する室外側枠部の端部２面に亘るようにＬ字状に対接してネジ固定することによって行うようにして，既設ドア枠のネジ固定位置を避け，ネジの効きを確保できる既設ドア枠における新規部分に対して確実に行うようにするとともに新設ドアの荷重を充分に安定して支持するヒンジの吊り強度を確保できるようにし，また既設ドア枠への新設ドアの設置を，上記新設ヒンジのドア固定部を新設ドアに内蔵設置した上下動調整自在の調整裏板に締着することによって，新設ドアに新設ヒンジのドア固定部を仮止めし，該ドア固定部を上記上下コーナー部のＬ字状枠固定部に軸支し，新設ドアを既設ドア枠に仮に吊り設置した状態で，ドア固定部を上下動調整して，新設ドアの既設ドア枠開口に対する良好な納まりを確保できるようにし，更に既設ドア枠は，一般に玄関用片面フラッシュ開き戸，公共住宅用プレスドア（ＫＪドア）等が多く，ドア閉成時の騒音を防止するようにプッシュボタン式の防音戸当りゴムが所定間隔に設置されるに止まっており，既設ドアとの間でも気密性を確保し得ないものとされることから，上記新設ドアの代替設置に際して，新設ドアに気密材を設置してこれを既設ドア枠のドア受用段部に対接することによって，例えば断熱ドア，防音ドア等の新設ドアを用いても，既設ドア枠と新設ドアの充分な気密性を確保できるようにしたものであって，即ち請求項１に記載の発明を，既設ドアと該既設ドア用の既設ヒンジを撤去することによって残存した既設ドア枠にその見込方向中間のドア受用段部より室外側に位置する室外側枠部に上下の新設ヒンジを介して新設ドアを吊り支持した改装ドアであって，上記上下の新設ヒンジをＬ字状の枠固定部と平板状のドア固定部とを回動自在に軸支したコーナー対接用とすることによって上記Ｌ字状の枠固定部を既設ドア枠の吊元側上下コーナー部にその交差する室外側枠部の端部２面に亘るように対接してネジ固定する一方，上記ドア固定部を新設ドアの吊元側端部に上下動調整自在に内蔵設置した調整裏板に締着することによって該ドア固定部を新設ドアに対して上下位置調整自在にネジ固定し且つ上記新設ドアの室内面外周に上記既設ドア枠のドア受用段部に対接することによって該既設ドア枠との間で気密性を確保する気密材を設置してなることを特徴とする既設ドア枠利用の簡易改装ドアとしたものである。
【０００６】
請求項２に記載の発明は，上記に加えて，既設ドア枠に歪みが存在することによって新設ヒンジの上記Ｌ字状の対接を確実になし得ないときに，その歪みを吸収して新設ヒンジの確実な設置をなし得るものとするように，これを，上記既設ドア枠の室外側枠部に対する新設ヒンジにおける枠固定部のネジ固定を，交差する室外側枠部の一方又は双方との間に該室外側枠部の歪み吸収用調整部材を介設して行なってなることを特徴とする請求項１に記載の既設ドア枠利用の簡易改装ドアとしたものである。
【０００７】
請求項３に記載の発明は，同じく上記に加えて，簡易な構造によって改装ドアに手挟み防止機能を備えたものとすることによって安全性を確保した高機能の改装ドアとするように，これを，上記新設ドアを，その少なくとも吊元側及び／又は戸当側の側端部にその長手方向部分的又は全体的な手挟み防止用室内側の段差空隙を備えて形成し，該段差空隙を埋めるようにこれに上記ドア受用段部に対接する気密材を設置してなることを特徴とする請求項１又は２に記載の既設ドア枠利用の簡易改装ドアとしたものである。
【０００８】
請求項４に記載の発明は，同じく上記に加えて，上記調整裏板を上下に一体のものとして上下動調整を簡易になし得るものとするとともに上記手挟み防止機能を備えた改装ドアとするように，これを，上記新設ドアの吊元側端部に上下動調整自在に内蔵設置した調整裏板を，新設ドアの長手方向中間を室内側において凹嵌することによって長手方向部分的に幅狭部を配置した上下に一体の調整裏板とする一方，上記新設ドアを，その少なくとも吊元側及び／又は戸当側の側端部に上記調整裏板の幅狭部の長さに応じた長手方向部分的な手挟み防止用室内側の段差空隙を備えて形成し，該段差空隙を埋めるようにこれに上記ドア受用段部に対接する気密材を設置してなることを特徴とする請求項１又は２に記載の既設ドア枠利用の簡易改装ドアとしたものである。
【０００９】
請求項５に記載の発明は，同じく上記に加えて，上記調整裏板を上下に一体のものとするとともに既設ドア枠に新設ドアを仮に吊り設置した状態で調整作業の空間を確保できる新設ドアの上面の上下動調整を行うことによって新設ドアの設置を可及的簡易になし得るものとするように，これを，上記新設ドアの吊元側端部に内蔵設置した調整裏板を，上下に一体にして少なくとも上端に折曲片を備えた一体の調整裏板とするとともに上記新設ドアの吊元側端部上面に上向きに設置した調整ネジの回転によって該上端の折曲片を上下動することによって新設ドアに対して上下動調整自在としてなることを特徴とする請求項１，２，３又は４に記載の既設ドア枠利用の簡易改装ドアとしたものである。
【００１０】
請求項６に記載の発明は，同じく上記に加えて，上記調整裏板を新設ドアの内側で確実に上下方向に移動して，スムーズな調整をなし得るものとするように，これを，上記新設ドアに内蔵設置した調整裏板を上下方向に案内する前後揺動防止用の上下動ガイドを追加的に備えてなることを特徴とする請求項１，２，３，４又は５に記載の既設ドア枠利用の簡易改装ドアとしたものである。
【００１１】
本発明はこれらをそれぞれ発明の要旨として上記課題解決の手段としたものである。
【００１２】
【発明の実施の形態】
図面の例に従って本発明を更に具体的に説明すれば，図１乃至図７においてＡは簡易改装ドアであり，該簡易改装ドアＡは，既設ドアと該既設ドア用の既設ヒンジを撤去することによって残存した既設ドア枠１０にその見込方向中間のドア受用段部１４より室外側に位置する室外側枠部１６に上下の新設ヒンジ２０を介して新設ドア３０を吊り支持したものとしてあり，上記上下の新設ヒンジ２０をＬ字状の枠固定部２１と平板状のドア固定部２５とを回動自在に軸支したコーナー対接用とすることによって上記Ｌ字状の枠固定部２１を既設ドア枠１０の吊元側上下コーナー部にその交差する室外側枠部１６の端部２面に亘るように対接してネジ５０固定する一方，上記ドア固定部２５を新設ドア３０の吊元側端部に上下動調整自在に内蔵設置した調整裏板３７に締着することによって該ドア固定部２５を新設ドア３０に対して上下位置調整自在にネジ５０固定し且つ上記新設ドア３０の室内面外周に上記既設ドア枠１０のドア受用段部１４に対接することによって該既設ドア枠１０との間で気密性を確保する気密材３１を設置したものとしてある。
【００１３】
本例にあって新設ドア３０を設置する既設ドア枠１０は，例えば，その既設上枠１１，既設縦枠１２及び既設下枠１３の見込寸法を約６．５ｃｍ程度，既設ドアの厚さ（框厚さ）を約３．５ｃｍ程度にして，既設ドア枠１０の見込方向中間にドア受用段部１４を，その室内外に室内側枠部１５及び室外側枠部１６を，室外側を拡開するように段差をなして配置し見込方向に一体の鋼製のものとした，一般にＫＪドアと称されていた公共住宅用プレスドアにおけるものとしてある。
【００１４】
該既設ドア枠１０は，その厚肉鋼製の単板をプレス成形することによって構成することによって断熱性，防音性を備えない図示省略の既設ドア及びこれを吊り支持していた既設縦枠１２の上下端部近傍の既設ヒンジを撤去するとともに，上記既設ヒンジ位置と変位して，新設ヒンジ２０を，既設ドア枠１０の室内側枠部１６の上下コーナー部にＬ字状に対接固定し，該新設ヒンジ２０によって，上記既設ドアに代替して，例えば断熱性，防音性に優れた高機能の新設ドア３０を設置することによって高機能の簡易改装ドアＡとしてある。
【００１５】
コーナー対接用の新設ヒンジ２０は，Ｌ字状の枠固定部２１と平板状のドア固定部２５とを備え，枠固定部２１にドア固定部２５を回動自在に軸支した鋼製のヒンジとしてあり，枠固定部２１は既設ドア枠２０における吊元側の上下コーナー部に合せて直角又はこれに近い角度をなすようにヒンジ羽根をなす縦片２２と横片２３とを交差して折曲乃至溶接したものとしたＬ字状一体のものとしてあり，該枠固定部２１はこれら縦片２２と横片２３にそれぞれ上記ネジ５０固定用複数の透孔２７を，例えば縦片２２において多数の６ヶ所，横片２３において同じく多数の４ヶ所設置してあり，またドア固定部２５は同じくヒンジ羽根をなす垂直の平板状のものとし，同じくネジ５０固定用複数の透孔２７を，本例にあって多数の５ヶ所設置してあり，このとき本例にあって上記枠固定部２１にはその一側端部に上向き太径の支軸２４を，ドア固定部２５には下向き開口の軸受２６をそれぞれ垂直に備え，該支軸２４に軸受２６を被嵌状に嵌合することによってドア固定部２５を枠固定部２１に回動自在に軸支するようにしてあり，このとき本例の新設ヒンジ２０は，いずれも上向きの支軸２４を備えるようにすることによって，上方コーナー用と下方コーナー用にそれぞれ専用の２種類のものとしてある。
【００１６】
該新設ヒンジ２０は，上記Ｌ字状の枠固定部２１を既設ドア枠１０の吊元側上下コーナー部に突き当てるようして，その交差する室外側枠部１６，即ち縦枠１２と上枠１１及び縦枠１２と下枠１３の端部２面に亘るように突き当て対接して，各複数の透孔２７からネジ５０を，例えばバーリング加工した既設ドア枠１０のタップ孔に螺入するようにしてネジ５０固定するようにしてあり，これによって該枠固定部２１は，既設ドア枠１０の上下コーナー部にＬ字状に対接した状態で強固に対接固定される。
【００１７】
このとき既設ドア枠１０に，例えば歪みが存在する場合のように，新設ヒンジ２０の枠固定部２１の上下コーナー部に対するＬ字状の対接を確実になし得ないときには，該ネジ５０固定を，上記交差する室外側枠部１６の一方又は双方との間に該室外側枠部１６の歪み吸収用調整部材を介設して行なうようすることができ，例えば該調整部材として薄肉の平板状ライナー，薄肉の楔状ライナー等を用いて，これを室外側枠部１６と枠固定部２１の縦片２２及び／又は横片２３との間に介設することによって，その歪みを吸収するようにすればよい。
【００１８】
一方新設ヒンジ２０の上記ドア固定部２５は，これを新設ドア３０に内蔵の調整裏板３７に締着することによって新設ドア３０吊元側端部に，上記枠固定部２１位置に合せるように固定し，枠固定部２１の支軸２４に軸受２６を被嵌することによって該新設ドア３０の既設ドア枠１０への設置を行なってあり，このとき上記調整裏板３７を新設ドア３０に上下動自在とすることによって，該ドア固定部２５は，締着用のネジ５０が新設ドア３０の図示省略の端面開口を貫通することによって，該新設ドア３０に対して上下位置調整自在としてあり，これによって既設ドア枠１０に新設ドア３０を仮に吊り設置し，ドア固定部２５の上下位置調整を行なうことによって，既設ドア枠１０の開口，即ち室外側枠部１６に新設ドア３０が良好に納まり，その上記気密材３１が既設ドア枠１０のドア受用段部１４に対接するようにするものとしてある。
【００１９】
本例の調整裏板３７は，上下に一体にして少なくとも上端に折曲片３８を備えた一体のものとするとともに上記新設ドア３０の吊元側端部上面に上向きに設置した調整ネジ３９の回転によって該上端の折曲片３８を上下動することによって新設ドア３０に対して上下動調整自在としたものとしてあり，このとき上記新設ドア３０は，これに内蔵設置した調整裏板３７を上下方向に案内する前後揺動防止用の上下動ガイドを備えたものとしてある。
【００２０】
本例にあって調整裏板３７は，これを，新設ドア３０の厚さより細幅としその上下端にそれぞれドア内側に向けた折曲片３８を備えた鋼製長尺の一体のものとし，上端の折曲片３８に螺孔を，下端の折曲片３８に透孔をそれぞれ配置したものとしてあり，上記上端の折曲片３８の螺孔には，新設ドア３０の内骨３４又は必要に応じて設置した厚肉プレート３６に回転自在に螺装した調整ネジ３９を螺装し，下端の折曲片３８の透孔には，同様に上記内骨３４又は同じく必要に応じて設置した厚肉プレート３６に起立固定したガイドピン４０を挿通してあり，これにより上記調整ネジ３９を新設ドア３０の上面において回転操作することによって，下端の折曲片３８に挿通したガイドピン４０が上下動を案内して，上端の折曲片３８を上下動し，該上端の折曲片３８を介して上記調整裏板３７を上下動し，これと締着固定した新設ヒンジ２０のドア固定部２５の上下位置調整をなし得るようにしてある。
【００２１】
本例において用いた調整裏板３７の上記上下動ガイドは，これを該調整裏板３７の上下中間位置に螺装したガイドネジ４１と，該ガイドネジ４１を新設ドア３０の吊元側端面と内骨３４に設置し，調整裏板３７の上下動を許容する長さを有するガイド孔４２とによる中間ガイドによるものとしてあり，また調整裏板３７の上下動スペースをドア面内側で画するように内骨３４に新設ドア３０の吊元側端部内側を前後に横断するように設置したガイド板４３によるものとしてあり，ガイドネジ４１を緩めて上記調整ネジ３９の回転操作を行なうことによってガイド孔４２とガイド板４３が調整裏板３７を上下方向に垂直に案内し，その前後の揺動を防止して安定したスムーズな上下調整をなし得るようにしてある。
【００２２】
新設ドア３０はその室内面外周に気密材３１を設置して既設ドア枠１０の室外側枠部１６との間で気密性を確保するようにしてあり，本例にあって該気密材３１の設置は，新設ドア３０の室内面外周に気密材嵌着溝４６を凹嵌形成し，該気密材嵌着溝４６に気密材３１の基部を嵌着固定することによって，気密材３１が新設ドア３０の同一面に同一突出幅を有するように設置するものとしてあり，このとき本例の新設ドア３０にあっては，その少なくとも吊元側及び／又は戸当側の側端部にその長手方向部分的又は全体的な手挟み防止用室内側の段差空隙４５を備えて形成し，該段差空隙４５を埋めるようにこれに上記ドア受用段部１４に対接する気密材３１を設置したものとしてあり，本例にあって上記段差空隙４５は，これを新設ドア３０の外周全体の四周について行い，これによって吊元側及び戸当側の双方に長手方向全体的な同一形態となるように手挟み防止機能を備えたものとするとともに新設ドア３０の外周に同一形状の気密材３１を用いてこれを段差空隙４５に設置し，該同一形状の気密材３１によって同一突出幅を容易に確保し得るようにしてある。
【００２３】
なお気密材３１の設置は，段差空隙４５の面内側周縁に気密材嵌着溝４６を形成し，該気密材嵌着溝４６に気密材３１の基部を嵌着固定することによって，これを行なうようにしてある。
【００２４】
本例の新設ドア３０における上記段差空隙４５の設置は，新設ドア３０の表面板を室外側と室内側とで，前者を幅及び高さを大きく，後者を小さく形成するとともに室外側の表面板の外周端部をドア厚さに比して突出幅を小さくし，これら表面板を，室外側と室内側とで同じく大きさを変えることによって，室外側の外周端部の突出幅を小さくした内外別形成の内骨３４に固定することによって，外側の表面板の外周端部が室内側に露出し，室内側の表面板の表面位置より凹嵌した状態とすることによって，これを形成したものとしてある。
【００２５】
図８乃至図１０は，新設ドア３０の他の例を示すもので，本例にあって新設ドア３０は，これに内蔵設置した調整裏板３７を，新設ドア３０の長手方向中間を室内側において凹嵌することによって長手方向部分的に幅狭部４７を配置した上下に一体のものとする一方，上記新設ドア３０を，その少なくとも吊元側及び／又は戸当側の側端部に上記調整裏板３７の幅狭部４７の長さに応じた長手方向部分的な手挟み防止用室内側の段差空隙４５を備えて形成し，該段差空隙４５を埋めるようにこれに上記ドア受用段部１４に対接する気密材３１を設置した例であり，本例の新設ドア３０にあって，上記段差空隙４５は，これを戸当側一方に単独で設けるとともに該中間の段差空隙４５における段差幅，即ち前後幅を更に拡大するように，ドアの端部構造において外周に気密材嵌着溝４６を形成するようにするとともに段差空隙４５部分を上記気密材嵌着溝４６と同じ深さ位置の面とこれより更に凹嵌した凹嵌溝４７の２段の段差構造とし，面内側の上記気密材嵌着溝と同じ深さ位置の面と室内側の表面板端部との間で手挟み防止機能を確保するようにし，またこのとき上記２段の段差構造における上記凹嵌溝４７と段差空隙４５を同一位置とすることによって，例えば基部の長さを１倍及び２倍とした気密材３１を用いて２倍の長さの基部を有する気密材３１を凹嵌溝４７に嵌着固定し，１倍の長さの基部を有する気密材３１を気密材嵌着溝４６に嵌着固定することによって，あるいは２倍の基部の長さを有する気密材３１を用いてこれを凹嵌溝４７に嵌着固定し，基部を１／２に切断して気密材嵌着溝４６に嵌着固定することによって，それぞれ気密材３１の同一突出幅を容易に確保し得るようにしてある。
【００２６】
このように形成した簡易改装ドアＡは，例えば上記既設ドアと既設ヒンジを撤去した既設ドア枠１０の吊元側の上下コーナー部に，上記新設ヒンジ２０の枠固定部２１をネジ５０によってＬ字状に対接固定する一方，新設ヒンジ２０のドア固定部２５を新設ドア３０に仮固定し，枠固定部２１にドア固定部２５を軸支することによってして，既設ドア枠１０に新設ドア３０を仮に吊り設置し，新設ドア３０を開いた状態で，天井までの空間を利用して戸当側の上面で調整ネジ３９の回転操作を行い，これによる調整裏板３７の上下動に伴い，新設ヒンジ２０のドア固定部２５を上下動調整するようにすれば，既設ドア枠１０及びこれに設置した新設ヒンジ２０に対する新設ドア３０の位置を調整し，新設ヒンジ２０の枠固定部２１とドア固定部２５の確実な嵌合とこれによる新設ドア３０の既設ドア枠１０開口に対する良好な納まりを確保したドア改装を簡易な作業によって短時間に行なうことができる。
【００２７】
そして本例の簡易改装ドアＡは，既設ドア枠１０を可及的に活用して，ドアの改装を可及的に効率的且つ確実になし得て，ドアの改装による開口の狭まりを可及的に小さくして改装後の開口，特に幅寸法を可及的に広く確保できるようにするとともに気密性能等の玄関ドアとしての性能を高度に確保し且つ既設ドア枠１０と新設ドア３０との間に手挟み防止機能を備えたものとすることができる。
【００２８】
図中３２は新設ドア３０のドアハンドル，３３はドアチェック，３５は断熱材を示す。
【００２９】
図示した例は以上のとおりとしたが，既設ドア枠，既設ドア，既設ヒンジ，新設ヒンジ，枠固定部，ドア固定部，新設ドア，調整裏板，気密材，必要に応じて用いる歪み吸収用調整部材，段差空隙，調整裏板の上下動ガイド等の各具体的寸法，形状，構造，材質，これらの関係，これらに対する付加等は，上記発明の要旨に反しない限り様々な形態のものとすることができる。
【００３０】
【発明の効果】
本発明は以上のとおりに構成したから，請求項１に記載の発明は，既設ドア枠を可及的に活用して，ドアの改装を可及的に効率的且つ確実になし得て，ドアの改装による開口の狭まりを可及的に小さくして改装後の開口，特に幅寸法を可及的に広く確保できるようにするとともに気密性能等の玄関ドアとしての性能を高度に確保できるようにした既設ドア枠利用の簡易改装ドアを提供することができるとともに上記新設ヒンジをＬ字状の枠固定部と平板状のドア固定部を軸支したものとすることによって，既設ドア枠のネジ固定位置を避け，ネジの効きを確保できる既設ドア枠における新規部分に対して確実に行うようにするとともに新設ドアの荷重を充分に安定して支持するヒンジの吊り強度を確保できるようにし，また上記新設ヒンジのドア固定部を新設ドアに内蔵設置した上下動調整自在の調整裏板に締着することによって，既設ドア枠への新設ドアの設置を，新設ドアにドア固定部を仮止めし，該ドア固定部を上記上下コーナー部のＬ字状枠固定部に軸支して，新設ドアを既設ドア枠に仮に吊り設置した状態で，ドア固定部を上下動調整することによって新設ドアの既設ドア枠開口に対する良好な納まりを確保したドア改装を簡易な作業によって短時間に行うことが可能になる。
【００３１】
請求項２に記載の発明は，上記に加えて，既設ドア枠に歪みが存在することによって新設ヒンジの上記Ｌ字状の対接を確実になし得ないときに，その歪みを吸収して新設ヒンジの確実な設置をなし得るものとすることができる。
【００３２】
請求項３に記載の発明は，同じく上記に加えて，簡易な構造によって改装ドアに手挟み防止機能を備えたものとすることによって安全性を確保した高機能の改装ドアとすることができる。
【００３３】
請求項４に記載の発明は，同じく上記に加えて，上記調整裏板を上下に一体のものとして上下動調整を簡易になし得るものとするとともに上記手挟み防止機能を備えた改装ドアとすることができる。
【００３４】
請求項５に記載の発明は，同じく上記に加えて，上記調整裏板を上下に一体のものとするとともに既設ドア枠に新設ドアを仮に吊り設置した状態で調整作業の空間を確保できる新設ドアの上面の上下動調整を行うことによって新設ドアの設置を可及的簡易になし得るものとすることができる。
【００３５】
請求項６に記載の発明は，同じく上記に加えて，上記調整裏板を新設ドアの内側で確実に上下方向に移動して，スムーズな調整をなし得るものとすることができる。
【図面の簡単な説明】
【図１】簡易改装ドアの斜視図である。
【図２】簡易改装ドアの縦断面図である。
【図３】簡易改装ドアの横断面図である。
【図４】上方コーナー用の新設ヒンジの斜視図である。
【図５】下方コーナー用の新設ヒンジの斜視図である。
【図６】調整裏板設置の状態を示す正面図である。
【図７】調整裏板設置の状態を示す側面図である。
【図８】他の例に係る簡易改装ドアの中間部分横断面図である。
【図９】図８の簡易改装ドアの下方部分横断面図である。
【図１０】図８の簡易改装ドアに用いた調整裏板の斜視図である。
【符号の説明】
Ａ  簡易改装ドア
１０  既設ドア枠
１４  ドア受用段部
１６  室外側枠部
２０  新設ヒンジ
２１  枠固定部
２４  支軸
２５  ドア固定部
２６  軸受
３０  新設ドア
３１  気密材
３７  調整裏板
３８  折曲片
３９  調整ネジ
４４  幅狭部
４５  段差空隙
【図１】
0003634776.tif 000002
【図２】
0003634776.tif 000003
【図３】
0003634776.tif 000004
【図４】
0003634776.tif 000005
【図５】
0003634776.tif 000006
【図６】
0003634776.tif 000007
【図７】
0003634776.tif 000008
【図８】
0003634776.tif 000009
【図９】
0003634776.tif 000010
【図１０】
0003634776.tif 000011